(57)【要約】【課題】薬剤が入った複数の袋体を重ね合わせた状態で接合して一体化するために簡単に使用することができる接合装置を提供する。【解決手段】接合装置は、互いに重ねられた複数の袋体１を接合する装置であって、前記複数の袋体１の一部を切り起こすことで切起片９を形成する切起片形成部１５と、切起片９を加熱する加熱部８ａ，８ｂとを備える。好ましくは、切起片形成部１５は、突起部６を有する第１部材３１と、突起部６を受け入れる受入れ部７を有する第２部材３２とを備え、切起片形成部１５は、第１部材３１と第２部材３２との間に前記複数の袋体１が配置された状態で、第１部材３１と第２部材３２とを相対的に接近させて、突起部６を受入れ部７に挿入することで、前記複数の袋体１の一部を切り起こす。【選択図】図１０
2018143588.tif 000002
【特許請求の範囲】
【請求項１】
互いに重ねられた複数の袋体を接合する装置であって、
前記複数の袋体の一部を切り起こすことで切起片を形成する切起片形成部と、
前記切起片を加熱する加熱部とを備える、接合装置。
【請求項２】
前記切起片形成部は、
突起部を有する第１部材と、
前記突起部を受け入れる受入れ部を有する第２部材とを備え、
前記切起片形成部は、前記第１部材と前記第２部材との間に前記複数の袋体が配置された状態で、前記第１部材と前記第２部材とを相対的に接近させて、前記突起部を前記受入れ部に挿入することで、前記複数の袋体の一部を切り起こす、請求項１に記載の接合装置。
【請求項３】
前記突起部は、
前記受入れ部と協働して、前記複数の袋体をせん断することで、前記切起片となる部分を形成する第１部位と、
前記受入れ部と協働して、前記切起片となる部分を起こす第２部位とを備える、請求項２に記載の接合装置。
【請求項４】
前記加熱部は、前記第１部材および前記第２部材のうち少なくとも一方に設けられている、請求項２または３に記載の接合装置。
【請求項５】
前記受入れ部は、前記第２部材に設けられた貫通孔である、請求項２から４のいずれかに記載の接合装置。
【請求項６】
前記複数の袋体の各々は、基材と、前記基材の内側に重ねて配置された熱溶着可能層とを備える、請求項１から５のいずれかに記載の接合装置。
【発明の詳細な説明】
【技術分野】
【０００１】
本発明は、接合装置に関するものである。
【背景技術】
【０００２】
薬剤を分包する複数の袋体を重ね合わせた状態で接合して一体化するためには、針を用いたステープラーが使用可能である。薬剤を分包する袋体がステープラーによって綴じられている場合、綴じられて一体化されたものは針を含んだ状態で患者に引き渡されるので、患者は、薬剤を服用する際に針を誤飲するおそれがある。
【０００３】
針の誤飲を回避するために、包装済薬剤同士を両面テープによって貼り合わせて一体化する薬剤取りまとめ装置が、特開２０１７−１７７号公報（特許文献１）に記載されている。
【先行技術文献】
【特許文献】
【０００４】
【特許文献１】特開２０１７−１７７号公報
【発明の概要】
【発明が解決しようとする課題】
【０００５】
特許文献１に記載された薬剤取りまとめ装置では、複数の包装済薬剤を両面テープによって一体化することができるが、装置自体が大がかりである。また、この装置においては、包装済薬剤は予め所定の薬剤仮置き箱に十分な数をストックしておく必要があるので、対象となる包装済薬剤がその都度選択されうる現場で簡単に使用するには適していない。
【０００６】
そこで、本発明は、薬剤が入った複数の袋体を重ね合わせた状態で接合して一体化するために簡単に使用することができる接合装置を提供することを目的とする。
【課題を解決するための手段】
【０００７】
上記目的を達成するため、本発明に基づく接合装置は、互いに重ねられた複数の袋体を接合する装置であって、上記複数の袋体の一部を切り起こすことで切起片を形成する切起片形成部と、上記切起片を加熱する加熱部とを備える。
【発明の効果】
【０００８】
本発明によれば、薬剤が入った複数の袋体を重ね合わせた状態で接合して一体化するために簡単に使用可能な接合装置を実現することができる。
【図面の簡単な説明】
【０００９】
【図１】本発明に基づく実施の形態１における接合装置の第１の斜視図である。
【図２】本発明に基づく実施の形態１における接合装置の第２の斜視図である。
【図３】接合対象となる袋体の斜視図である。
【図４】接合対象となる袋体の模式的な断面図である。
【図５】接合対象となる複数の袋体を重ねた状態の模式的な断面図である。
【図６】本発明に基づく実施の形態１における接合装置に備わる第１部材の斜視図である。
【図７】本発明に基づく実施の形態１における接合装置に備わる第１部材に設けられた突起部の斜視図である。
【図８】本発明に基づく実施の形態１における接合装置に備わる第２部材の斜視図である。
【図９】本発明に基づく実施の形態１における接合装置に備わる切起片形成部の動作を示す第１の説明図である。
【図１０】本発明に基づく実施の形態１における接合装置に備わる切起片形成部の動作を示す第２の説明図である。
【図１１】本発明に基づく実施の形態１における接合装置によって袋体の束に形成された切起片近傍の拡大断面図である。
【図１２】本発明に基づく実施の形態１における接合装置によって一体化された複数の袋体の束の写真である。
【図１３】図１２の一部を拡大した写真である。
【図１４】本発明に基づく実施の形態２における接合装置の第１の部分斜視断面図である。
【図１５】本発明に基づく実施の形態２における接合装置の第２の部分斜視断面図である。
【図１６】本発明に基づく実施の形態２における接合装置に備わる第１部材の斜視図である。
【図１７】本発明に基づく実施の形態２における接合装置に備わる第２部材の斜視図である。
【図１８】本発明に基づく実施の形態２における接合装置によって一体化された複数の袋体の束の写真である。
【図１９】本発明に基づく実施の形態３における接合装置の第１の斜視図である。
【図２０】本発明に基づく実施の形態３における接合装置の第２の斜視図である。
【図２１】本発明に基づく実施の形態３における接合装置のヘッド近傍の第１の斜視図である。
【図２２】本発明に基づく実施の形態３における接合装置のヘッド近傍の第２の斜視図である。
【図２３】本発明に基づく実施の形態３における接合装置のヘッド近傍の分解図である。
【図２４】本発明に基づく実施の形態３における接合装置のヘッド近傍の分解断面図である。
【図２５】本発明に基づく実施の形態４における接合装置に備わる第１部材の斜視図である。
【図２６】本発明に基づく実施の形態５における接合装置に備わる第１部材の斜視図である。
【図２７】本発明に基づく実施の形態５における接合装置に備わる第１部材の平面図である。
【図２８】本発明に基づく実施の形態６における接合装置に備わる第１部材兼第２部材の斜視図である。
【発明を実施するための形態】
【００１０】
（実施の形態１）
（構成）
図１〜図１３を参照して、本発明に基づく実施の形態１における接合装置について説明する。本実施の形態における接合装置１０１の外観を図１に示す。図１とは異なる角度から見た外観を図２に示す。
【００１１】
接合装置１０１は、レバー４０と、ベース部材４１と、上部材４２とを含む。ベース部材４１は支持部４３を含む。上部材４２はヘッド４４を含む。ヘッド４４の下側に第１部材３１が上下動可能な状態で支持されている。支持部４３によって第２部材３２が支持されている。第１部材３１と第２部材３２とを合わせたものが切起片形成部１５である。
【００１２】
接合装置１０１は、互いに重ねられた複数の袋体を接合する装置であって、前記複数の袋体の一部を切り起こすことで切起片を形成する切起片形成部１５と、前記切起片を加熱する加熱部とを備える。
【００１３】
接合の対象となる袋体の外観を図３に示す。袋体１の断面を模式的に示すと図４のようになる。袋体１の内部には少なくとも１つの薬剤４が収められている。薬剤４は錠剤とは限らず、たとえば散剤であってもよい。袋体１は、基材２と熱溶着可能層３との２層構造を備えるシート材を折り目１３で２つ折りにして、３つの辺を加熱することによってシールしたものである。基材２はたとえばセロハンを主材料とするシートである。熱溶着可能層３はたとえばポリエチレンを主材料とする層である。袋体１は、シール領域５を有する。シール領域５は、シールしたことによって熱溶着可能層３同士が溶着している領域である。シール領域５が形成されていることにより、薬剤４は袋体１の内部に閉じ込められている。
【００１４】
複数の袋体１を重ねた様子を図５に示す。ここで示す例では、シール領域５同士が揃うように３つの袋体１が重ねられている。図５では右側の続きの部分が省略されているが、右側に薬剤４が入っている部分がある。
【００１５】
第１部材３１を単独で取り出したところを図６に示す。第１部材３１はネジ留めのための構造を有していてもよい。図６に示した例では、第１部材３１は長手方向の両端にネジを受けるための切欠きを有している。第１部材３１は少なくとも１つの突起部６を備える。ここで示す例では、第１部材３１は４つの突起部６を備える。突起部６の数は、４に限らず他の数であってもよい。１つの突起部６を拡大したところを図７に示す。突起部６は、円柱形の上端を斜めに切り落とし、さらに上端の斜面が低くなっている側の一部を中心線に平行な平面で切り落とした形状となっている。突起部６は第１部位６１と第２部位６２とを備える。上端の斜面の高くなっている側の端を含む部分が第１部位６１であり、低くなっている側の端部が第２部位６２である。第１部位６１は円弧状のエッジを有する。第２部位６２は線分状のエッジを有する。
【００１６】
第２部材３２を単独で取り出したところを図８に示す。第２部材３２はネジ留めのための構造を有していてもよい。図８に示した例では、第２部材３２は長手方向の両端にネジを受けるための開口部を有している。第２部材３２は少なくとも１つの受入れ部７を備える。ここで示す例では、第２部材３２は４つの受入れ部７を備える。受入れ部７の数は、４に限らず他の数であってもよい。受入れ部７は円形の凹部であってよい。受入れ部７の内径は、突起部６の外径よりわずかに大きく形成される。突起部６は上から見たとき、円形から第２部位６２側の一部を切り落とした形状となっているが、受入れ部７を上から見たときの形状は、円形から一部を切り落とした形状ではなく、完全な円形であってよい。受入れ部７に突起部６を挿入することができるように、突起部６の配列と受入れ部７の配列とは互いに対応している。
【００１７】
図９〜図１３を参照して、切起片形成部１５の動作について説明する。図９に示すように、第１部材３１の上側には加熱部８ａが配置されている。第２部材３２の下側には加熱部８ｂが配置されている。加熱部８ａ，８ｂは公知技術によるヒータであってよい。
【００１８】
互いに接合すべき複数の袋体１は、互いに積み重なった状態で第２部材３２の上に載置される。通常、これらの複数の袋体１のシール領域５が受入れ部７の上に位置するように載置される。袋体１の密封状態を維持したり、薬剤４の噛み込みを避けたりするためには、第１部材３１および第２部材３２による一体化はシール領域５で行なわれることが好ましい。また、第１部材３１および第２部材３２による一体化は、袋体１の端縁部で行なわれることが好ましい。一体化が袋体１の端縁部で行なわれていれば、一体化した後の状態でも、複数の袋体１の各々をめくりながら目視して監査することができるからである。図９に示した例では、シール領域５が受入れ部７の上に位置するように、複数の袋体１が載置されている。
【００１９】
図９に示すように、第１部材３１および加熱部８ａは、矢印９２に示すように相対的に下降する。第１部材３１が下降し終えた時点では、図１０に示す状態になる。ここで示す例では、突起部６の先端は斜面となっているが、斜面となっていること自体は必須ではない。突起部６の第１部位６１の外縁は、受入れ部７の内周に対してぎりぎりの位置を通過するように配置されている。突起部６の第２部位６２の外縁は、受入れ部７の内周から離隔した位置を通過するように配置されている。
【００２０】
切起片形成部１５は、突起部６を有する第１部材３１と、突起部６を受け入れる受入れ部７を有する第２部材３２とを備える。切起片形成部１５は、第１部材３１と第２部材３２との間に複数の袋体１が配置された状態で、第１部材３１と第２部材３２とを相対的に接近させて、突起部６を受入れ部７に挿入することで、複数の袋体１の一部を切り起こす。
【００２１】
図１０では、複数の袋体１の一部が切り起こされて切起片９が形成されている。突起部６の第１部位６１の側では、袋体１は切断されており、第２部位６２の側では袋体１は切断されずにつながっている。第２部位６２の近傍では、複数の袋体１が重なったまま折り曲げられて切起片９となっている。第１部材３１および第２部材３２は加熱部８ａ，８ｂによって加熱されているので、切起片９も加熱される。第１部材３１を第２部材３２から相対的に離した後で、複数の袋体１の束を取り出す。この時点では、複数の袋体１は１つの束となっている。切起片９においては、複数の袋体１が互いに接合されて一体化している。切起片９の近傍を拡大したところを図１１に示す。接合装置１０１によって一体化された複数の袋体１の束の写真を図１２に示す。図１２の切起片９の近傍を拡大したところを図１３に示す。切起片９が形成されたことにより、開口部１０が形成されている。
【００２２】
（作用・効果）
各々の袋体１は、基材２が熱溶着可能層３を挟み込んだ構造となっているので、複数の袋体１を重ねただけの状態では、各袋体１の内部の熱溶着可能層３はそれぞれ隔離された状態にあり、互いに触れ合うことはない。しかし、接合装置１０１によって処理された後には、切起片９が形成され、切起片９の外縁には袋体１の断面が露出する。切起片９の内部にあった熱溶着可能層３は、加熱部によって加熱されるので、高温となって溶融し、熱溶着可能層３の材料が外縁の断面からにじみ出る。にじみ出た熱溶着可能層３の材料は図１１に示すように互いにつながってから冷えて固まる。切起片９の外縁には溶着部１１が形成されている。これにより、切起片９は一体化する。一方、開口部１０の内縁には溶着部１２が形成されている。ここで図１１に示した構造は、あくまで模式的なものであって、実際にはこのようにきれいな形状になるとは限らない。にじみ出た熱溶着可能層３の材料は、図１１に示した以外の位置にも付着していてもよい。図１１では、切起片９は元の面に対してほぼ直角に曲がっているが、実際には、直角以外の角度で曲がっていてもよい。複数の袋体１の束を取り出した時点では、切起片９が元の位置から回転した角度は９０°未満であってもよい。切起片９は元の位置から９０°以上回転して袋体１の本体と鋭角をなすように折れ曲がる状態となっていてもよい。複数の袋体１の束を切起片形成部１５から取り出した後で、切起片９を押してさらに折り曲げてもよい。
【００２３】
本実施の形態で示したように、接合装置１０１は、薬剤４が入った複数の袋体１を重ね合わせた状態で接合して一体化することができる。接合装置１０１は、簡単な構造であるので、薬剤を扱う現場で簡単に使用することができる。
【００２４】
本実施の形態で示したように、突起部６は、受入れ部７と協働して、複数の袋体１をせん断することで、切起片９となる部分を形成する第１部位６１と、受入れ部７と協働して、切起片９となる部分を起こす第２部位６２とを備えることが好ましい。この構成を採用することにより、袋体１の所望の箇所に円滑に切起片９を形成することができる。
【００２５】
本実施の形態で示したように、加熱部が、前記第１部材および前記第２部材のうち少なくとも一方に設けられていることが好ましい。この構成を採用することにより、加熱部は切起片９を効率良く加熱することができ、切起片９の内部の熱溶着可能層３を溶融させることができるので、袋体１同士の固着をより確実に実現することができる。
【００２６】
本実施の形態で示したように、複数の袋体１の各々は、基材２と、基材２の内側に重ねて配置された熱溶着可能層３とを備えることが好ましい。この構成を採用することにより、熱溶着可能層３の溶融、にじみ出し、固化という一連の現象を利用して、複数の袋体１を互いに接合して一体化することができる。
【００２７】
なお、第１部材３１および第２部材３２による一体化は、シール領域５以外の領域で行なわれてもよい。この場合、薬剤４の噛み込みを避けるために、袋体１の内部に収容されている薬剤４を、第１部材３１および第２部材３２による一体化を行なう位置から離れた位置に寄せておく必要がある。切起片９が形成されることで、袋体１には開口部１０が形成される。このように開口部１０が形成されるとしても、袋体１を密封状態にすることができる。なぜなら、開口部１０の内周部が、第１部材３１および第２部材３２によってシールされるからである。
【００２８】
図３に示す例では、１つの袋体１が１つの収容部を備えているが、他の例として、１つの袋体が複数の収容部を備えていてもよい。複数の収容部はたとえば一方向に並んで連なっていてよい。このような場合の複数の収容部の各々には、たとえば１回の服用に相当する分量の薬剤４が収容される。
【００２９】
たとえば、袋体１は、１日のうちに服用すべき薬剤を収容するものであってもよい。この袋体１は複数の収容部を備え、複数の収容部は、１日の中で服用すべき順に一方向に並んで連なるものであってもよい。この場合、複数日分の袋体１をまとめて接合装置１０１によって接合することが考えられる。このように複数日分の袋体１を接合するにあたっては、服用順が１日の中で最も遅い薬剤を収めた収容部の近傍の位置で、接合することが好ましい。このようにすれば、薬剤４を服用する際に、服用順の早い収容部から順に切り取っていくことができるからである。
【００３０】
たとえば、１つの袋体１に含まれる複数の収容部の各々は、服用すべき時点が互いに同一の薬剤を収めるものであってもよい。接合装置１０１により互いに接合される複数の袋体１の各々は、服用すべき時点が互いに同一であってもよく、あるいは、互いに異なっていてもよい。接合装置１０１により互いに接合される複数の袋体１の組合せは、状況に応じて適宜選択することができる。
【００３１】
（実施の形態２）
（構成）
図１４〜図１８を参照して、本発明に基づく実施の形態２における接合装置について説明する。本実施の形態における接合装置１０２の部分斜視断面図を図１４に示す。図１４では、接合装置１０２の切起片形成部１５ｉ近傍に注目し、一定の仮想的平面で切断して内部構造を含めて示している。図１４とは異なる向きから見て異なる仮想的平面で切ったときの接合装置１０２の部分斜視断面図を図１５に示す。
【００３２】
接合装置１０２は、基本的な構成は実施の形態１で示した接合装置１０１と共通するが、接合装置１０１といくつかの点で異なる。接合装置１０２は、切起片形成部１５ｉを備える。切起片形成部１５ｉは、第１部材３１ｉと第２部材３２ｉとを含む。接合装置１０２においては、第２部材３２ｉの近傍にガイド部材４６が配置されている。ガイド部材４６は、支持部４３によって支持されている。ガイド部材４６は、樹脂製であってよい。ガイド部材４６は平坦な上面を有し、この上面は第２部材３２ｉの上面とほぼ同一平面上にある。
【００３３】
第１部材３１ｉを単独で取り出したところを図１６に示す。第１部材３１ｉは突起部６を備える。この突起部６は、上から見たとき、長方形の一方の長辺の中央に小さな長方形を付け足したような形状を有する。突起部６は上端を斜めに切り落とした形状となっている。小さな長方形を付け足した長辺がある側は低い側である。その反対側の長辺は高い側である。
【００３４】
第２部材３２ｉを単独で取り出したところを図１７に示す。第２部材３２ｉは受入れ部７を備える。受入れ部７は、上から見たとき、長方形の一方の長辺の中央に小さな長方形を付け足したような形状の凹部または貫通孔である。ここで付け足された小さな長方形の短辺は、突起部６において付け足された小さな長方形の短辺より長い。
【００３５】
接合装置１０２によって一体化された複数の袋体１の束の写真を図１８に示す。図１８では、切起片９が形成されたことにより、開口部１０が形成されている。
【００３６】
図１５に示した例では、受入れ部７は貫通孔となっている。このように、受入れ部７は、第２部材３２ｉに設けられた貫通孔であることが好ましい。なぜなら、切起片形成部１５ｉを繰り返し使用していると受入れ部７の内部に袋体１から生じるカスが溜まってくるからである。このカスは、主に熱溶着可能層３のカスである。受入れ部７が凹部である場合にはこのカスが内部に溜まってしまい、良好な接合作業を続行するためにはこれを除去することが必要となってしまう。しかし、受入れ部７が貫通孔となっていればカスは下方に抜け落ちることができるので、受入れ部７の内部に溜まることは避けられる。
【００３７】
（作用・効果）
本実施の形態においても、実施の形態１で示したのと同様の効果を得ることができる。さらに受入れ部７が貫通孔となっていることにより、カスが受入れ部７の内部に溜まることを回避することができ、清掃が容易となることができるので、好ましい。
【００３８】
（実施の形態３）
（構成）
図１９〜図２４を参照して、本発明に基づく実施の形態３における接合装置について説明する。本実施の形態における接合装置１０３の外観を図１９に示す。図１９とは異なる角度から見た外観を図２０に示す。図１９および図２０では、説明の便宜のため、ガイド部材４６などを取り去った状態で表示されている。接合装置１０３のヘッド４４近傍を図２１に示す。図２１とは異なる向きから見たところを図２２に示す。図２２では、説明の便宜のため、支持部４３およびヘッド４４の一部を一定平面で切り取った状態で示している。接合装置１０３の当該部分の分解図を図２３に示す。さらに一定平面で切った状態の分解図を図２４に示す。
【００３９】
接合装置１０３は、切起片形成部１５ｊを備える。切起片形成部１５ｊは、第１部材３１ｊと、第２部材３２ｊとを含む。第１部材３１ｊは上側保持部３３によって保持されている。第１部材３１ｊは前側からスライドさせて上側保持部３３の内側に押し込むことによって取り付けることができる。上側保持部３３の後ろ側には磁石３５ａが配置されている。第１部材３１ｊは磁石３５ａによって吸着可能な部材を含む。第１部材３１ｊを上側保持部３３の内側に挿入し終えたときには、磁石３５ａが第１部材３１ｊを吸着することによって第１部材３１ｊの位置は固定される。第１部材３１ｊは、磁石３５ａの吸着力に抗して前側へスライドさせることによって上側保持部３３から取り外すことができる。
【００４０】
第２部材３２ｊは下側保持部３４によって保持されている。第２部材３２ｊは前側からスライドさせて下側保持部３４の内側に押し込むことによって取り付けることができる。下側保持部３４の後ろ側には磁石３５ｂが配置されている。第２部材３２ｊは磁石３５ｂによって吸着可能な部材を含む。第２部材３２ｊを下側保持部３４の内側に挿入し終えたときには、磁石３５ｂが第２部材３２ｊを吸着することによって第２部材３２ｊの位置は固定される。第２部材３２ｊは、磁石３５ｂの吸着力に抗して前側へスライドさせることによって下側保持部３４から取り外すことができる。
【００４１】
図２３および図２４に示すように、ガイド部材４６は、下面の中央付近に磁石４６ｃを備える。図２３に示すように、ガイド部材４６は、下面に２つの突起４６ｄを備えている。２つの突起４６ｄは磁石４６ｃを挟むように配置されている。支持部４３は２つの開口部４３ｅを有する。ガイド部材４６を支持部４３の上に設置する際には、２つの突起４６ｄが２つの開口部４３ｅに挿入され、磁石４６ｃが支持部４３に吸着することによって、ガイド部材４６は所望の位置に正しく固定される。ガイド部材４６は支持部４３に対して着脱可能である。
【００４２】
図２２に示すように、ヘッド４４の内部には可動部４５が上下方向に延在している。可動部４５は上下に移動可能に保持されており、上側保持部３３は可動部４５に対して相対的に固定されている。したがって、第１部材３１ｊは可動部４５に対して相対的に固定されている。可動部４５に上下に移動することによって第１部材３１ｊも上下に移動する。図２２に示す状態から可動部４５がさらに下降することによって、第１部材３１ｊは第２部材３２ｊに対して当接することができる。
【００４３】
（作用・効果）
本実施の形態においても、実施の形態１で説明した効果を得ることができる。
【００４４】
本実施の形態では、第１部材３１ｊは上側保持部３３によって保持され、第２部材３２ｊは下側保持部３４によって保持され、第１部材３１ｊおよび第２部材３２ｊはそれぞれスライドさせることによって着脱可能であるので、ネジ留めは不要である。したがって、第１部材３１ｊおよび第２部材３２ｊの交換が容易である。
【００４５】
（実施の形態４）
（構成）
図２５を参照して、本発明に基づく実施の形態４における接合装置について説明する。本実施の形態における接合装置の構成は、基本的には実施の形態１で説明した接合装置１０１と同じであるが、接合装置１０１に比べて第１部材および第２部材の構造が異なる。本実施の形態における接合装置は、図２５に示すような第１部材３１ｋを備える。第１部材３１ｋにおいては、突起部６が４×２の合計８個配置されている。第２部材は図示していないが、第２部材においてもこれに対応するように４×２の合計８個の円形の受入れ部が設けられている。
【００４６】
ここではこのような４×２の合計８個の配列の例を示したが、これはあくまで一例である。突起部および受入れ部はこのようにｍ×ｎ（ｍ，ｎはいずれも２以上の整数）のマトリックス状に配列されていてもよい。
【００４７】
（作用・効果）
本実施の形態においても、実施の形態１で説明した効果を得ることができる。
【００４８】
本実施の形態における接合装置によれば、複数の袋体の１つの束に対して切起片が同時に複数列設けられるので、袋体同士の結合をより強固なものとすることができる。
【００４９】
通常、切起片の集合体はシール領域５内に設けられることが想定されているが、シール領域５の幅が狭い場合には複数列の切起片を形成する余裕はないかもしれない。一方、シール領域５の幅がある程度広くてスペースに余裕がある場合には、本実施の形態における接合装置のように、切起片が複数列形成されるようにすることが好ましい。
【００５０】
（実施の形態５）
（構成）
図２６〜図２７を参照して、本発明に基づく実施の形態５における接合装置について説明する。本実施の形態における接合装置の構成は、基本的には実施の形態１で説明した接合装置１０１と同じであるが、接合装置１０１に比べて第１部材の構造が異なる。本実施の形態における接合装置は、図２６に示すような第１部材３１ｎを備える。第１部材３１ｎの平面図を図２７に示す。第１部材３１ｎにおいては、突起部６の斜面の向きが一定ではなく、１個おきに異なる向きとなっている。第２部材については、実施の形態１で示したものと同じであってよい。
【００５１】
ここではこのように突起部６の斜面が１個おきに１８０°異なる向きとなることによって結果的に２通りの向きを向く例を示したが、これはあくまで一例である。突起部の斜面は、さらに違う角度で異なっていてもよいし、１個おきではなくてもよい。突起部６の斜面は、３通り以上の向きのものがあってもよい。
【００５２】
（作用・効果）
本実施の形態においても、実施の形態１で説明した効果を得ることができる。
【００５３】
本実施の形態における接合装置によれば、複数の袋体の１つの束にこの接合装置の１回の操作によって形成される複数の切起片は、異なる向きに折り曲げられたものが混在する状態となるので、袋体同士の結合をより強固なものとすることができる。
【００５４】
（実施の形態６）
（構成）
図２８を参照して、本発明に基づく実施の形態６における接合装置について説明する。本実施の形態における接合装置の構成は、基本的には実施の形態１で説明した接合装置１０１と同じであるが、接合装置１０１に比べて第１部材および第２部材の構造が異なる。本実施の形態における接合装置は、図２８に示すような部材３０を備える。部材３０は、第１部材と第２部材とを兼ねるものである。部材３０は、突起部６と受入れ部７とを備える。この接合装置では、上側にも下側にも同じく部材３０が配置されていてよい。同じ構造の部材３０同士であっても、上側にあるものを第１部材、下側にあるものを第２部材とみなせばよい。部材３０同士を互いに対向させて接近させたときには、一方の部材３０の突起部６が他方の部材３０の受入れ部７に挿入され、前記一方の部材３０の受入れ部７には前記他方の部材３０の突起部６が挿入される。
【００５５】
（作用・効果）
本実施の形態においても、実施の形態１で説明した効果を得ることができる。
【００５６】
本実施の形態における接合装置によれば、複数の袋体の１つの束にこの接合装置の１回の操作によって形成される複数の切起片は、オモテ側に折り返されたものとウラ面に折り返されたものとが混在する状態となるので、袋体同士の結合をより強固なものとすることができる。
【００５７】
なお、実施の形態４〜６では、実施の形態１で示したような突起部６（図７参照）を前提に説明したが、このような形状の突起部に限らない。実施の形態２で示したような突起部６（図１６参照）を採用しても同様のことがいえる。また、これら２種類の形状の突起部に限らず、さらに異なる形状の突起部を採用してもよい。
【００５８】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００５９】
１  袋体、２  基材、３  熱溶着可能層、４  薬剤、５  シール領域、６  突起部、７  受入れ部、８ａ，８ｂ  加熱部、９  切起片、１０  開口部、１１，１２  溶着部、１３  折り目、１５，１５ｉ  切起片形成部、３０  部材、３１，３１ｉ，３１ｊ，３１ｋ，３１ｎ  第１部材、３２，３２ｉ，３２ｊ  第２部材、３３  上側保持部、３４  下側保持部、３５ａ，３５ｂ  磁石、４０  レバー、４１  ベース部材、４２  上部材、４３  支持部、４３ｅ  開口部、４４  ヘッド、４５  可動部、４６  ガイド部材、４６ｃ  磁石、４６ｄ  突起、６１  第１部位、６２  第２部位、９１，９２  矢印、１０１  接合装置。
【図１】
2018143588.tif 000003
【図２】
2018143588.tif 000004
【図３】
2018143588.tif 000005
【図４】
2018143588.tif 000006
【図５】
2018143588.tif 000007
【図６】
2018143588.tif 000008
【図７】
2018143588.tif 000009
【図８】
2018143588.tif 000010
【図９】
2018143588.tif 000011
【図１０】
2018143588.tif 000012
【図１１】
2018143588.tif 000013
【図１２】
2018143588.tif 000014
【図１３】
2018143588.tif 000015
【図１４】
2018143588.tif 000016
【図１５】
2018143588.tif 000017
【図１６】
2018143588.tif 000018
【図１７】
2018143588.tif 000019
【図１８】
2018143588.tif 000020
【図１９】
2018143588.tif 000021
【図２０】
2018143588.tif 000022
【図２１】
2018143588.tif 000023
【図２２】
2018143588.tif 000024
【図２３】
2018143588.tif 000025
【図２４】
2018143588.tif 000026
【図２５】
2018143588.tif 000027
【図２６】
2018143588.tif 000028
【図２７】
2018143588.tif 000029
【図２８】
2018143588.tif 000030